(57)【要約】【課題】  携帯機器を用意に接続および設置可能な電気機器であって、様々な種類の携帯機器を設置可能な電気機器を提供。【解決手段】  電気機器は、音響再生機器と接続可能な接続端子を保持可能な保持部と、前記保持部を着脱可能に装着する装着部とを有する。【選択図】図１１
2016096477.tif 000002
【特許請求の範囲】
【請求項１】
音響再生機器と接続可能な接続端子を保持可能な保持部と、
前記保持部を着脱可能に装着する装着部と、を有することを特徴とする電気機器。
【請求項２】
前記保持部は、第１挟持部と、第２挟持部とを有し、前記第１挟持部と前記第２挟持部とが前記接続端子を挟持することによって前記接続端子を保持するように構成されていることを特徴とする請求項１に記載の電気機器。
【請求項３】
前記装着部は、複数の保持部を選択的に着脱可能であり、
前記複数の保持部は、それぞれ、異なる形状の接続端子を保持するように構成されていることを特徴とする請求項１または２に記載の電気機器。
【請求項４】
前記第１挟持部は、切欠きが形成された板部と、前記板部に設けられて前記接続端子を受入れる端子受入れ部とを有することを特徴とする請求項２に記載の電気機器。
【請求項５】
前記端子受入れ部と前記切欠きとは隣接していることを特徴とする請求項４に記載の電気機器。
【請求項６】
前記端子受入れ部は前記板部の表面から突出して設けられるとともに端子受入れ溝が形成され、前記端子受入れ溝の溝底は前記板部の表面と距離を置いて配置されていることを特徴とする請求項４に記載の電気機器。
【請求項７】
前記接続端子に接続されたケーブルを収容可能なケーブル収容部をさらに有し、
前記ケーブル収容部は、前記保持部が前記装着部に装着された場合に、前記板部に覆われることを特徴とする請求項４項に記載の電気機器。
【請求項８】
スピーカをさらに有することを特徴とする請求項１乃至７の何れか１項に記載の電気機器。
【請求項９】
前記接続端子に接続されたケーブルを収容可能なケーブル収容部をさらに有し、
前記ケーブル収容部は、前記保持部が前記装着部に装着された場合に、前記保持部に覆われることを特徴とする請求項１に記載の電気機器。
【請求項１０】
第１挟持部と、第２挟持部とを有し、前記第１挟持部と前記第２挟持部とが音響再生機器と接続可能な接続端子を挟持する保持部であって、電気機器に装着可能なことを特徴とする保持部。
【発明の詳細な説明】
【技術分野】
【０００１】
本発明は、携帯機器を装着可能な保持部および当該保持部を備えた電気機器に関する。
【背景技術】
【０００２】
従来から、持ち運び可能で音楽等を出力可能な電気機器が知られている。
【先行技術文献】
【特許文献】
【０００３】
【特許文献１】特開２０１１−１６６２５４号公報
【発明の概要】
【発明が解決しようとする課題】
【０００４】
近年、携帯機器を装着して、当該携帯機器で再生した音楽を視聴しながら作業可能な電気機器が望まれている。しかし、特許文献１はこのような要望に対応できるように構成されていない。また、携帯機器を電気機器に接続した状態で持ち運び可能とする場合、携帯機器と電気機器とを接続する構成として、ＵＳＢケーブルを介して携帯機器と電気機器とを接続することが考えられる。しかしながら、携帯機器には様々な種類があり、その接続端子も異なる。このような構成では、特定の種類の携帯機器のみを接続して保持することは可能になるが、それ以外の種類の携帯機器を接続して保持することが不可能になるという問題が想定される。
【０００５】
かかる実情に鑑み本発明は、携帯機器を電気機器に電気的に接続可能で様々な種類の携帯機器を設置可能な電気機器を提供することを目的とする。
【課題を解決するための手段】
【０００６】
上記課題を解決するために本発明は、音響再生機器と接続可能な接続端子を保持可能な保持部と、前記保持部を着脱可能に装着する装着部とを有する電気機器を提供する。
【０００７】
このような電気機器によれば、保持部に音響再生機器を保持させることにより、音響再生機器と電気機器との電気的な接続が可能になる。
【０００８】
前記保持部は、第１挟持部と、第２挟持部とを有し、前記第１挟持部と前記第２挟持部とが前記接続端子を挟持することによって前記接続端子を保持するように構成されていることが好ましい。
【０００９】
このような構成によれば、第１挟持部および第２挟持部によって様々な種類の接続端子を確実に保持することができる。
【００１０】
前記装着部は、複数の保持部を選択的に着脱可能であり、前記複数の保持部は、それぞれ、異なる形状の接続端子を保持するように構成されていることが好ましい。このような構成によれば、電気機器は、複数の保持部のうち用途に適したものを装着することにより、様々な規格の接続端子を保持可能になる。
【００１１】
前記第１挟持部は、切欠きが形成された板部と、前記板部に設けられて前記端子を受入れる端子受入れ部とを有することが好ましい。このような構成によれば、切欠きによって規定される空間にケーブルなどを配置することができる。
【００１２】
前記端子挟持部と前記切欠きとは隣接していることが好ましい。
【００１３】
前記端子受入れ部は前記板部の表面から突出して設けられるとともに端子受入れ溝が形成され、前記端子受入れ溝の溝底は前記板部の表面と距離を置いて配置されていることが好ましい。このような構成によれば、受入れ溝の溝底と前記板部の表面とが離間しているため、音響再生機器を配置するのに十分なスペースを確保することができる。
【００１４】
前記接続端子に接続されたケーブルを収容可能なケーブル収容部をさらに有し、前記ケーブル収容部は、前記保持部が前記装着部に装着された場合に、前記板部に覆われることが好ましい。このような構成によれば、保持部は、音響生成機器を保持可能であると共に、ケーブル収容部を覆うことが可能になる。
【００１５】
また、スピーカをさらに有することが好ましい。
【００１６】
前記接続端子に接続されたケーブルを収容可能なケーブル収容部をさらに有し、前記ケーブル収容部は、前記保持部が前記装着部に装着された場合に、前記保持部に覆われることが好ましい。このような構成にすれば、ケーブルを収容した状態で保持部で収容部を覆うことができるため、ケーブルが邪魔になることがない。特に携帯機器を保持部に装着して保持部を装着部に装着する際にケーブルが邪魔になることがない。  
【００１７】
また、本発明は、第１挟持部と、第２挟持部とを有し、前記第１挟持部と前記第２挟持部とが音響再生機器と接続可能な接続端子を挟持する保持部であって、電気機器に装着可能な保持部を提供する。
【００１８】
このような構成によれば、第１挟持部および第２挟持部によって様々な種類の接続端子を確実に保持することができる。
【発明の効果】
【００１９】
本発明の電気機器によれば、携帯機器を電気機器に電気的に接続可能で様々な種類の携帯機器を設置可能な電気機器を提供することが可能になる。
【図面の簡単な説明】
【００２０】
【図１】本発明の実施の形態によるポータブルラジオの外観を示す正面図である。
【図２】本発明の実施の形態によるポータブルラジオの外観を示す平面図である。
【図３】本発明の実施の形態によるポータブルラジオの外観を示す左側面図である。
【図４】本発明の実施の形態によるポータブルラジオのラジオ本体及びダンパ部の外観を示す正面図である。
【図５】本発明の実施の形態によるポータブルラジオのラジオ本体及びダンパ部の外観を示す平面図である。
【図６】本発明の実施の形態によるポータブルラジオのラジオ本体及びダンパ部の外観を示す左側面図である。
【図７】本発明の実施の形態によるポータブルラジオのフレームガードの外観を示す正面図である。
【図８】本発明の実施の形態によるポータブルラジオのフレームガードの外観を示す平面図である。
【図９】本発明の実施の形態によるポータブルラジオのフレームガードの外観を示す左側面図である。
【図１０】本発明の実施の形態によるポータブルラジオのフレームガードの外観を示す斜視図である。
【図１１】本発明の実施の形態によるポータブルラジオの携帯機器収容部を示す外観図であり、（ａ）は前面蓋部が開いている状態を示す図、（ｂ）は載置部に携帯機器が載置されている状態を示す図である。
【図１２】本発明の実施の形態によるポータブルラジオに電池パックが接続された状態を示す斜視図である。
【図１３】本発明の実施の形態によるポータブルラジオの図２のＢ−Ｂ断面図である。
【図１４】本発明の実施の形態によるポータブルラジオの図１のＡ−Ａ断面図である。
【図１５】本発明の実施の形態によるポータブルラジオの載置部を示す外観図であり、（ａ）は端子保持部が取り外されたときの上前方向からの斜視図、（ｂ）は端子保持部が装着されているときの斜視図、（ｃ）は端子保持部が取り外されたときの正面図である。
【図１６】本発明の実施の形態によるポータブルラジオの端子保持部の一例を示す図であり、（ａ）は、接続端子が保持された状態を示す図であり、（ｂ）は接続端子が保持される前の状態を示す図である。
【図１７】本発明の実施の形態によるポータブルラジオの端子保持部の別の例を示す図であり、（ａ）は、接続端子を保持された状態を示す図であり、（ｂ）は接続端子が保持される前の状態を示す図である。
【図１８】本発明の実施の形態によるポータブルラジオの端子保持部の上面図である。
【図１９】本発明の実施の形態によるポータブルラジオの切欠きを通過するイヤフォンケーブルについて説明した図である。
【図２０】本発明の実施の形態によるポータブルラジオに接続される携帯機器の底面図である。
【図２１】本発明の実施の形態によるポータブルラジオの端子保持部において、弾性体が挟持される場合を示した図であり、（ａ）は接続端子が保持された状態を示す図であり、（ｂ）は接続端子が保持される前の状態を示す図である。
【図２２】変形例のポータブルラジオを示す正面図である。
【図２３】電気機器の変形例としての表示装置を示す正面図である。
【発明を実施するための最良の形態】
【００２１】
本発明の第１実施の形態による電気機器について図１乃至図２１に基づき説明する。
【００２２】
図１乃至図３に示されているように、本発明の実施の形態による電気機器の一例であるポータブルラジオ１は、左右方向に延びる略三角柱形状のラジオ本体２と、ラジオ本体２を囲むように配置されラジオ本体２を保護するフレームガード３と、ラジオ本体２とフレームガード３とを接続するとともに外部からの衝撃を吸収緩和するダンパ部４とを備えており、充電可能な電池パックＰ（図１２、１３）を電源として駆動する。ポータブルラジオ１は、電池パックＰを電源とするため、商用電源の確保が困難な建設現場等の作業場所に好適である。図１は、ポータブルラジオ１の外観を示す正面図、図２は、ポータブルラジオ１の外観を示す平面図、図３は、ポータブルラジオ１の外観を示す右側面図である。
【００２３】
以下の説明において、ポータブルラジオ１が地面Ｇに載置された状態の上方を上と定義し、逆を下と定義する。ポータブルラジオ１の操作部２４が設けられている側（図１における紙面手前側）を前と定義し、逆を後と定義する。また前方向からポータブルラジオ１を見た場合の右を右と定義し、逆方向を左と定義する。なお、位置関係等に言及した場合、例えば、平行、直交、反対等のように言及した場合、完全に平行、直交、反対等である場合だけでなく、略平行、略直交、略反対等である場合を含むものとする。
【００２４】
図１乃至図６に示されているように、ラジオ本体２は、ハウジング２１と、携帯機器収容部２２と、表示部２３と、操作部２４と、電源収容部２５（図１２）と、スピーカ部２６とを備えている。また、ラジオ本体２は、ＡＭ、ＦＭ等のラジオ放送を受信して音声として出力するラジオ機能、スマートフォン等の携帯機器Ｓ（図１１（ｂ））が出力する音声を増幅して出力するアンプ機能、携帯機器Ｓに記憶された音声ファイルを再生して出力する再生機能等を有している。図４乃至図６は、図１乃至図３からフレームガード３を捨象した図であり、図４はポータブルラジオ１のラジオ本体２及びダンパ部４の外観を示す正面図、図５はラジオ本体２及びダンパ部４の外観を示す平面図、図６はラジオ本体２及びダンパ部４の外観を示す右側面図である。
【００２５】
ハウジング２１は、ラジオ本体２の外郭をなす部分であり、左右方向に延びる略三角柱形状に形成されている。携帯機器収容部２２は、ハウジング２１の前部に形成されている。図１１（ａ）及び（ｂ）に示されているように携帯機器収容部２２は、載置部２０及び前面蓋部２２Ｂを備えている。図１１は、携帯機器収容部２２を示す外観図であり、（ａ）は前面蓋部２２Ｂが開いている状態を示す図であり、（ｂ）は載置部２０に携帯機器Ｓが載置されている状態を示す図である。
【００２６】
図１１及び図１４に示すように、載置部２０は、表示部２３及び操作部２４の表面よりも、ラジオ本体２の内方に凹んで形成されており、携帯機器Ｓを載置可能とする略四角形状の収容空間を提供している。また、載置部２０は、端子保持部６０と、右保持爪２２Ｄ及び左保持爪２２Ｅと、係合部２２Ｆと、係合部２２Ｇとを有している。図１４は、ポータブルラジオ１の内部構造を示す図であり、図１のＡ−Ａ断面図である。端子保持部６０は保持部に相当する。
【００２７】
載置部２０は端子保持部６０を着脱可能に装着している。端子保持部６０は端子９１（後述）を保持している。端子９１は、載置部２０の下側部分から上方に延出しており、携帯機器Ｓの外部端子接続部と接続可能な形状に形成されている。図１１（ｂ）及び図１４に示されているように、携帯機器Ｓは、その外部端子接続部Ｓ１（後述）に端子９１が接続された状態で載置部２０に載置される。当該接続状態において、ポータブルラジオ１は、携帯機器Ｓに電力供給可能であり、携帯機器Ｓに保存された音声ファイルを読取って再生し、スピーカ部２６から出力可能である。なお、ポータブルラジオ１は、音声入力端子であるイヤフォン端子２２Ｊ（一例として３．５ｍｍステレオミニジャック）を備えており、当該音声入力端子と携帯機器Ｓのイヤフォン端子Ｓ２（図２０）とをイヤフォンケーブル８（図１９）を介して接続することで、携帯機器Ｓが再生する音声をスピーカ部２６から出力可能である。
【００２８】
右保持爪２２Ｄ及び左保持爪２２Ｅは、載置部２０の上下方向略中央において左右に所定の間隔で並んで配置され、それぞれが左右方向にスライド可能に設けられている。図１１（ｂ）に示されているように、携帯機器Ｓを載置部２０に載置した状態で、右保持爪２２Ｄ及び左保持爪２２Ｅをそれぞれ携帯機器Ｓに向けてスライドさせることで左右方向から携帯機器Ｓを挟持することができる。これにより、携帯機器Ｓを載置部２０に安定して載置することができ、携帯機器収容部２２に携帯機器Ｓが収容された状態において携帯機器Ｓとハウジング２１との衝突に起因する故障を抑制することができる。
【００２９】
係合部２２Ｆは、載置部２０の上端部に左右方向に延びるように設けられており、後述の前面蓋部２２Ｂの被係合部２７と係合可能である。
【００３０】
前面蓋部２２Ｂは、開閉可能であって、その下端部を中心にハウジング２１（ラジオ本体２）に対して回動可能に設けられている。換言すると、前面蓋部２２Ｂは、載置部２０を開閉可能である。また、前面蓋部２２Ｂの上端部（図１１の状態にあっては、紙面手前の前端部）であって、左右方向の略中央には、係合部２２Ｆと係合可能な被係合部２７が設けられている。前面蓋部２２Ｂは、係合部２２Ｆと被係合部２７とが係合した状態で閉状態（図１乃至図６の状態）となり、係合部２２Ｆと被係合部２７とが係合していない状態で開状態（図１１の状態）となる。なお、当該閉状態において前面蓋部２２Ｂの前面とハウジング２１の前面とは略面一となるように構成されている。
【００３１】
表示部２３は、ハウジング２１の前面であって、携帯機器収容部２２の右側上部に設けられており、各種情報を表示可能に構成されている。例えば、ラジオ放送の周波数及びチャンネル、端子９１に接続された携帯機器Ｓから読み取った音声ファイルの情報等を表示可能である。
【００３２】
操作部２４は、ラジオ本体２の前面であって、携帯機器収容部２２の右側且つ表示部２３の下側に設けられており、複数の操作ボタンを備えている。当該複数の操作ボタンを操作することで、ラジオ放送のチューニング、音量調整、音声ファイルの再生及び停止等を行うことができる。
【００３３】
図１２に示すように、電源収容部２５は、ラジオ本体２の後部に形成されており、電源格納部２５Ａと、後面蓋部２５Ｂと、係合爪２５Ｃとを備えている。
【００３４】
ラジオ本体２は、ハウジング２１とを有している。ハウジング２１は、再生機器収容部作業場所に設置したときに左右方向に延びる長尺な形状を有している。ハウジング２１の左右方向に直交する平面に沿った断面は、略三角形状をなしている。
【００３５】
図１５（ａ）は、端子保持部６０が載置部２０から取り外れたときのポータブルラジオ１を示している。図１５（ａ）に示すように、載置部２０には孔部２２Ｈが形成されている。図１５（ｃ）に示すように、孔部２２Ｈの内部にはＵＳＢ端子２２Ｉとイヤフォン端子２２Ｊとが設けられている。また、孔部２２Ｈの左右方向の長さは、載置部２０の左右方向の長さの少なくとも半分より大きく、本実施の形態では、載置部２０の左右方向の長さより若干小さい程度である。孔部２２Ｈの左右方向の長さを十分長くすることにより、孔部２２Ｈは、後述のＵＳＢケーブル９やイヤフォンケーブル８を収納可能になる。ここで、イヤフォンケーブル８は、その両端にフォーンプラグを有するプラグである。なお、図１１に示すように端子保持部６０が載置部２０に装着された場合には、孔部２２Ｈは端子保持部６０によって覆われる。即ち、端子保持部６０は孔部２２Ｈを覆うカバーでもある。孔部２２Ｈはケーブル収容部に相当する。孔部２２Ｈの開口端と係合部２２Ｇは装着部に相当する。
【００３６】
端子保持部６０の構成について説明する。端子保持部６０は、ＵＳＢケーブル９の端子９１を保持している。ここでＵＳＢケーブル９とは、その一端にＵＳＢ端子を有し、他端に携帯機器Ｓと接続可能な端子を有するケーブルである。本実施の形態では、ＵＳＢケーブル９として、iPhone（アップル  インコーポレテッドの登録商標）と接続可能な、LIGHTNING（アップル  インコーポレテッドの登録商標）ケーブルの規格を満たすＵＳＢケーブル９Ｌと、ANDROID（グーグル  インコーポレイテッドの登録商標）をOSとした携帯機器などに接続可能なマイクロＵＳＢケーブル９Ｍについて説明する。また、端子保持部６０として、ＵＳＢケーブル９Ｌに対応した端子保持部６０Ｌ（図１６）と、ＵＳＢケーブル９Ｍに対応した端子保持部６０Ｍ（図１７）の２種類について説明する。端子保持部６０Ｌ、６０Ｍは、載置部２０に選択的に装着される。尚、端子保持部６０Ｌ、６０Ｍにおいて、同じ構成には同じ参照番号を付し説明を省略する。
【００３７】
図１６（ａ）は、端子保持部６０Ｌが載置部２０から取り外された状態を示している。端子保持部６０は、カバー板６１と、係合爪６２と、端子挟持部６３とを備えている。カバー板６１は左右に長い略長方形状を有している。係合爪６２は、カバー板６１の上端であって左右方向の略中央に設けられている。係合爪６２は係合部２２Ｆと係合可能である。カバー板６１の下側に端子挟持部６３が設けられている。また、カバー板６１の下端には切欠き６４、６５が形成されている。詳細には、端子挟持部６３の左側に切欠き６４が設けられ、端子挟持部６３の右側に切欠き６５が設けられている。切欠き６４、６５が形成されることにより、カバー板６１の下端には凸部６６、６７が設けられる。言い換えれば、切欠き６４、６５は凸部６６、６７より上側に凹むように形成されている。カバー板６１と、端子挟持部６３とがそれぞれが第１挟持部、第２挟持部に相当する。
【００３８】
カバー板６１は、上部８１と下部８２とを有している。上部８１と下部８２とは一体的に成型されている。尚、図１４に示すように端子保持部６０が載置部２０に取付られた状態では、上部８１が左右方向、および、前下方向に平行に延びている。しかし、図１６〜１８、２１を用いた説明では、説明の便宜のため、図１６に示すように上部８１が上下、左右方向に平行に配置されているものとする。カバー板６１は屈曲しており、屈曲箇所の上側が上部８１であり、下側が下部８２である。従って、上部８１と下部８２とは所定の角度で接続されている。即ち、下部８２は、前下方向に斜めに延出している。
【００３９】
図１６（ｂ）に示すように、端子挟持部６３は、端子受入れ部６３Ａと、挟持板６３Ｂと、ネジ６３Ｃと、ナット６３Ｄとを有している。ナット６３Ｄは、端子保持部６０の孔７３の後ろ側に圧入ないし接着されている。尚、ナット６３Ｄは、孔７３に圧入ないし接着されておらず、孔７３から分離可能であってもよい。端子受入れ部６３Ａは、溝７１Ｌ、と溝７２Ｌと、ネジ孔７３と、上面７４とを有している。溝７１Ｌは、溝７２Ｌの上側に設けられ、溝７２Ｌと連通している。溝７１Ｌの左右方向の長さは、溝７２Ｌの左右方向の長さより長い。従って、溝７１Ｌと溝７２Ｌとの連結部分には底面７５Ｌが形成されている。
【００４０】
ＵＳＢケーブル９Ｌは、端子９１Ｌと、端子支持部９２Ｌと、ケーブル９３と、ＵＳＢ端子９４とを有している。端子支持部９２Ｌは、ケーブル９３と端子９１との間に設けられている。ＵＳＢケーブル９Ｌは、端子９１Ｌは、iPhone（アップル  インコーポレテッドの登録商標）の端子（後述の端子Ｓ１）と接続可能である。ＵＳＢ端子９４は、ＵＳＢ  Ａプラグ側コネクタである。本実施の形態の端子保持部６０は、LIGHTNINGケーブルの規格を満たす様々な製品のＵＳＢケーブル９Ｌを保持することが可能なように溝７１Ｌが形成されている。
【００４１】
即ち、溝７１Ｌの左右方向の長さ、および、前後方向の長さが、それぞれ、端子支持部９２Ｌの左右方向の長さ、および、前後方向の長さより大きく形成されている。
【００４２】
一般に、市販されているLIGHTNINGケーブルは、製品ごとに端子支持部９２Ｌの形状や大きさなどが異なる。特に、端子支持部９２Ｌの前後方向の長さは製品ごとに大きく異なる。そのため、本実施の形態では、溝７１Ｌの前後方向の長さを十分長くし、様々なLIGHTNINGケーブルを保持可能にしている。溝７１Ｌの左右方向の長さは、端子支持部９２Ｌの左右方向の長さより若干大きい。端子支持部９２Ｌの左右方向の長さは前後方向ほどにバラつきが大きくないためである。また、溝７１Ｌの上下方向の長さは、端子支持部９２Ｌの上下方向の長さより短い。これにより、図１６（ａ）に示すように、端子支持部９２Ｌが端子保持部６０Ｌに保持されたときに端子支持部９２Ｌの一部が、上面７４より上側に突出する。
【００４３】
端子保持部６０ＬがＵＳＢケーブル９Ｌを保持する際には、まず、端子支持部９２Ｌが、溝７１Ｌに配置され、ケーブル９３の一部が、溝７２Ｌに配置される。このとき端子支持部９２Ｌは底面７５と当接する。これにより、端子支持部９２Ｌが下方へ落下することを防止できる。この状態で、端子受入れ部６３Ａと、挟持板６３Ｂとで端子支持部９２Ｌを挟持し、ネジ６３Ｃを螺合する。これにより、図１６（ａ）に示すように、端子保持部６０がＵＳＢケーブル９を保持する。ネジ６３Ｃにより、端子受入れ部６３Ａと、挟持板６３Ｂとを取付けることによって、両者によって端子支持部９２Ｌを挟み込むことができるため、挟持板６３Ｂが端子支持部９２Ｌを十分な力で固定することができる。なお、ネジ６３Ｃは紛失防止のため、ワッシャ等で挟持板６３Ｂに取り付けられる用に構成してもよい。  
【００４４】
図１７（ａ）、（ｂ）に示すように、端子保持部６０Ｍは端子保持部６０Ｌと溝７１Ｍ、７２Ｍを除いて同じ構成である。溝７１Ｍ、７２Ｍは、ＵＳＢケーブル９Ｍを保持可能に形成されている。即ち、ＵＳＢケーブル９Ｍは、端子９１Ｍと、端子支持部９２Ｍと、ケーブル９３と、ＵＳＢ端子９４とを有している。端子９１Ｍは、ＵＳＢミニＡプラグ側コネクタ或いはＵＳＢマイクロＢプラグである。溝７１Ｍは、端子支持部９２Ｍを配置可能である。溝７１Ｍは、溝７２Ｍの上側に設けられ、溝７２Ｍと連通している。溝７１Ｍの左右方向の長さは、溝７２Ｍの左右方向の長さより長い。従って、溝７１Ｍと溝７２Ｍとの連結部分には底面７５Ｍが形成されている。
【００４５】
LIGHTNINGケーブル同様、市販されているマイクロＵＳＢケーブルも製品ごとに端子支持部９２Ｍの形状や大きさなどが異なる。特に、端子支持部９２Ｍの前後方向の長さは製品ごとに大きく異なる。そのため、本実施の形態では、溝７１Ｍの前後方向の長さを十分長くし、様々なマイクロＵＳＢケーブルを保持可能にしている。溝７１Ｍの前後方向の長さより、端子支持部９２Ｍの前後方向の長さの方が長くなる場合も想定される。この場合、挟持板６３Ｂが端子受入れ部６３Ａから前後方向に浮いた状態になるが、安定して固定できるよう挟持板６３Ｂ端面にレール形状を、端子受入れ部６３Ａに当該レール形状が通る凹形状を付加してもよい。なお、挟持板６３Ｂは湾曲可能な板バネが望ましい。  
【００４６】
また、溝７１Ｍの左右方向の長さは、端子支持部９２Ｍの左右方向の長さより若干大きい。端子支持部９２Ｍの左右方向の長さは前後方向ほどにバラつきが大きくないためである。また、溝７１Ｍの上下方向の長さは、端子支持部９２Ｍの上下方向の長さより短い。これにより、図１７（ａ）に示すように、端子支持部９２Ｍが端子保持部６０Ｍに保持されたときに端子支持部９２Ｍの一部が、上面７４より上側に突出する。これにより、携帯機器Ｓの装着時に携帯機器Ｓと上面７４との間に空間ができ、携帯機器Ｓの端子カバー等を収納することができる。
【００４７】
図１８に示すように、上面７４の左右方向略中央部には切欠き７６（７６Ｌ、７６Ｍ）が形成され、当該切欠きが溝７１（７１Ｌ、７１Ｍ）の上端と接続している。尚、切欠き７６の後端（溝７１の溝底）は、上部８１より前方に位置している。このため、端子９１（９１Ｌ、９１Ｍ）は、上部８１よりも間隔を隔てて前側に配置される。尚、本実施の形態では、切欠き７６の後端（溝７１の溝底）と上部８１との前後方向の間隔は、携帯機器Ｓの厚みの半分より十分大きくなるように構成されている。
【００４８】
図２０に示すように、iPhoneなどの、携帯機器Ｓはその底部に、端子９１（９１Ｌ、９１Ｍ）と接続可能な端子Ｓ１と、イヤフォン端子Ｓ２とを備えている。例えば、端子Ｓ１は、LIGHTNING（アップル  インコーポレイテッドの登録商標）コネクタや、ＵＳＢミニＡソケットである。また、イヤフォン端子Ｓ２は、例えば、３．５ｍｍステレオミニジャックである。端子保持部６０には切欠き６４、６５が端子挟持部６３の左右にそれぞれ設けられている。これのような構成によって、図１９に示すように、イヤフォン端子Ｓ２に接続されたイヤフォンケーブル８を切欠き６４または切欠き６５に挿通することができる。
【００４９】
端子９１（９１Ｌ、９１Ｍ）が端子Ｓ１と接続されると、端子９１を介して携帯機器Ｓを充電したり、ポータブルラジオ１が端子９１を介して携帯機器Ｓからのデータを受信することが可能である。尚、ポータブルラジオ１は携帯機器Ｓからのデータ（例えば音声データ）をブルートゥース通信を介して受け取るようにしてもよい。
【００５０】
端子Ｓ２がイヤフォンケーブル８と接続されると、携帯機器Ｓで再生した音声データをポータブルラジオ１のスピーカ部２６から出力することができる。
【００５１】
端子保持部６０Ｌを載置部２０に装着する方法を説明する。尚、端子保持部６０Ｌは、図１６（ａ）に示すようにＵＳＢケーブル９が固定された状態にあるとする。まず、ＵＳＢ端子９４とＵＳＢ端子２２Ｉとを接続する。また、イヤフォン端子２２Ｊにイヤフォンケーブル８の端子を接続する。載置部２０の下端に、凸部６６、６７を配置する。この際に、図１９に示すようにイヤフォンケーブル８が切欠き６４または切欠き６５と、載置部２０（孔部２０Ｈの開口端）とによって囲まれる空間の間を通過するように配置する。即ち、イヤフォンケーブル９は、孔部２２Ｈと、切欠き６４または６５によって規定される開口部を通過するように配置する。次に、凸部６６、６７の下端部を回動軸として、端子保持部６０Ｌを回動させることにより係合爪６２を係合部２２Ｆに係合させる。これにより、端子保持部６０は載置部２０に固定される。また、この後にイヤフォンケーブル８の端子を携帯機器Ｓのイヤフォン端子Ｓ２に接続し、端子９１を端子Ｓ１と接続する。尚、イヤフォンケーブル８によって携帯機器Ｓとポータブルラジオ１とを接続する例を示したが、イヤフォンケーブル８に関する接続は一切行わなくても良い。
【００５２】
尚、端子保持部６０Ｍを載置部２０に装着する方法は端子保持部６０Ｌと同様であるため説明を省略する。
【００５３】
上記のポータブルラジオ１によれば、作業者は、携帯機器Ｓの端子Ｓ１を端子保持部６０の端子９１に接続すれば、同時に携帯機器Ｓが端子保持部６０に支持することができる。また、端子保持部６０の形状を変えることによって、様々な規格のＵＳＢケーブル９を保持することができる。そのため、端子保持部６０を変えることによって、ポータブルラジオ１は、様々な種類の携帯機器Ｓを保持することができる。
【００５４】
また、端子保持部６０は、カバー板６１と端子挟持部６３とでＵＳＢケーブル９を挟持している。このため、同一規格の様々なＵＳＢケーブル９の製品を１つの端子保持部６０で保持することができる。作業者が所有しているＵＳＢケーブル９は、例え、規格が同一であっても、端子支持部９２の形状、サイズは様々なものが想定される。本実施の形態に示した構成であれば、そのような形状、サイズの違いに関わらず、端子保持部６０は端子支持部９２を保持することができる。
【００５５】
カバー板６１は、端子保持部６０がポータブルラジオ１に装着されたときに、孔部２２Ｈを覆うことができる。
【００５６】
本発明によるポータブルラジオ１は上述した実施の形態に限定されず、特許請求の範囲に記載した範囲で種々の変形や改良が可能である。
【００５７】
上記の実施の形態ではイヤフォンケーブル８を介してポータブルラジオ１と携帯機器Ｓとを接続したが、イヤフォンケーブル８によるこのような接続を行わなくともよい。このような場合には、端子Ｓ１から携帯機器Ｓの音声データを受信するようにしてもよいし、音声データを受信せず、ポータブルラジオ１が携帯機器Ｓの充電装置としてのみ機能するようにしてもよい。あるいは、ポータブルラジオ１は、ブルートゥースを介して携帯機器Ｓの音声データを受信するようにしてもよい。
【００５８】
図２１に示すように溝７１Ｌと端子支持部９２Ｌとの間に板状のスポンジやゴム、シリコン等の弾性体７８を挟むようにしてもよい。上述のように、端子支持部９２Ｌの前後方向の長さは、製品によって大きく異なる。端子支持部９２Ｌの前後方向の長さが、溝７２Ｌの前後方向の長さより極端に小さいときには、弾性体７８によって両者の長さの差を埋めることができる。これにより、挟持板６３Ｂが、端子支持部９２Ｌを端子受入れ部６３Ａに向けて押圧することができる。尚、ここでは端子保持部６０Ｌについて説明したが、端子保持部６０Ｍに弾性体７８を用いるようにしてもよい。更に、溝７１Ｌの前後方向を端子支持部９２Ｌの前後方向の長さよりも短くし、挟持板６３Ｂを湾曲させることで端子支持部９２Ｌを固定してもよい。この場合、挟持板６３Ｂは板バネが望ましい。
【００５９】
端子保持部６０として、LIGHTNINGケーブルであるＵＳＢケーブル９Ｌや、マイクロＵＳＢケーブルであるＵＳＢケーブル９Ｍを取付け可能な端子保持部６０Ｌ、６０Ｍについて説明したが、それ以外の規格のＵＳＢケーブル９を取付け可能な構成であってもよい。その場合には、溝７１Ｌ、７２Ｌ、（７１Ｍ、７２Ｍ）の形状を変更すればよい。
【００６０】
また、本発明の端子保持部６０は、本実施の形態のポータブルラジオ１のみならず、図２２に示すような、携帯機器Ｓと接続可能なポータブルラジオ１０１に用いることも可能である。ポータブルラジオ１０１は、その前面に表示部２３と、スピーカ部２６とが設けられ、その上面に操作部２４が設けられている。また、表示部２３、スピーカ部２６の右側に端子保持部６０が設けられている。尚、端子保持部６０を取り外した場合には本実施の形態の孔部２２Ｈと同様な構成が設けられているが、ここでは説明を省略する。
【００６１】
また、携帯機器Ｓを取付け可能な装置であれば、ポータブルラジオ以外の電気機器に端子保持部６０を設けるようにしてもよい。例えば、図２３の表示装置２０１に端子保持部６０を設けるようにしても良い。表示装置２０１は、前面に表示部２３と、上部に操作部２４とを有しており、表示部２３の右側に端子保持部６０が設けられている。端子保持部６０を取り外した場合には本実施の形態の孔部２２Ｈと同様な構成が設けられているが、ここでは説明を省略する。表示装置２０１は、映像情報を携帯機器Ｓの端子Ｓ１および端子９１Ｌを介して受信し、表示部２３に表示する。また、端子Ｓ１および端子９１Ｌを介して携帯機器Ｓを充電することも可能である。
【００６２】
端子支持部９２を挟持する構成は、実施の形態に示した構成に限定されない。例えば、実施の形態では端子受入れ部６３Ａに溝７１を設け、当該溝７１に端子支持部９２を受入れる構成を示したが、端子受入れ部６３Ａではなく、端子受入れ部６３Ａに代わる溝の無い部材に弾性部材を設け、当該弾性部材に当接するように端子支持部９２を配置して、挟持板６３Ｂと挟むようにしてもよい。また、挟持板６３Ｂにも端子支持部９２に当接可能な弾性体を設けるようにしてもよい。また挟持板６３Ｂに溝部を設け、当該溝部が端子支持部９２に当接するようにしてもよい。
【符号の説明】
【００６３】
１          ポータブルラジオ
２          ラジオ本体
３          フレームガード
４          ダンパ部
９          ＵＳＢケーブル
１０      筐体
２０      載置部
２１      ハウジング
２２      携帯機器収容部
２２Ｉ  端子
２２Ｊ  イヤフォン端子
６０      端子保持部
６１      カバー板
６２      係合爪
６３      端子挟持部
６３Ａ  端子受入れ部
６３Ｂ  挟持板
６６      凸部
７１、７２        溝
７８      弾性体
【図１】
2016096477.tif 000003
【図２】
2016096477.tif 000004
【図３】
2016096477.tif 000005
【図４】
2016096477.tif 000006
【図５】
2016096477.tif 000007
【図６】
2016096477.tif 000008
【図７】
2016096477.tif 000009
【図８】
2016096477.tif 000010
【図９】
2016096477.tif 000011
【図１０】
2016096477.tif 000012
【図１１】
2016096477.tif 000013
【図１２】
2016096477.tif 000014
【図１３】
2016096477.tif 000015
【図１４】
2016096477.tif 000016
【図１５（ａ）】
2016096477.tif 000017
【図１５（ｂ）】
2016096477.tif 000018
【図１５（ｃ）】
2016096477.tif 000019
【図１６】
2016096477.tif 000020
【図１７】
2016096477.tif 000021
【図１８】
2016096477.tif 000022
【図１９】
2016096477.tif 000023
【図２０】
2016096477.tif 000024
【図２１（ａ）】
2016096477.tif 000025
【図２１（ｂ）】
2016096477.tif 000026
【図２２】
2016096477.tif 000027
【図２３】
2016096477.tif 000028